(57)【要約】【課題】  フローリング材の雄実の付け根に下地材に対して４５度程度角度で打ち込まれた釘を抜く場合にフローリング材の仕上がり面を傷めずに釘を抜くことができ、複雑でない形状で安価で使用性の容易な釘抜きを提供すること。【解決手段】  略Ｌ字状体の釘抜きで、釘抜きの長い方の一辺側の一端部に鉤構造となる形状を設けそこにフローリング用の釘を引っ掛けて引っ張れるようにし、釘抜き自体を通常の釘抜きで引っ張れるように釘抜きの胴体部に突起もしくは切欠きをもうける。またＬ字の短い側の一辺側端部は梃子の原理を利用して釘を抜く際にフローリングの仕上がり面を傷つけずしかも容易に釘を引っ掛けることができる形状の鉤状部を設けたものである。【選択図】図１
2007290043.tif 000002
【特許請求の範囲】
【請求項１】
棒状体または略Ｌ字状体の端部の一方側で、前記略Ｌ字状体の場合は一辺側が短く他辺側が一辺側に比し充分に長いＬ字状を呈したもので、前期略Ｌ字状の長い側の一辺の端部を一端部として反対側の端部を他端部としたときに、前記一端部から他端部の方向に向かって棒状体または略Ｌ字状体の本体ごと棒状体の軸の延長線で引っ張ったとき、もしくは移動したときに前記一端部を釘に引っ掛けて釘を引き抜くものであって前記一端部が釘抜き部１となる釘抜きにおいて、前記釘抜き部１は端部が前記一端部から他端部の方向に釘を引っ張りぬくことのできる鉤構造となっていていることを特徴とする、釘抜き。
【請求項２】
前記釘抜きの構造を釘抜き本体における位置関係として前記棒状体または略Ｌ字状体の長い方向を縦方向に立てて両端部を便宜上上下方向に位置づけると、前記一端部は釘抜き部１であり下側とし、前期他端部側を上側と位置付けたときに、前記釘抜き部１の両側面もしくは四方側面で下側方向の一端部側の先端に向かって釘抜き部１の先端を鋭角にして、前記先端から上方向に所定の間隔設けた位置に鉤構造または鉤構造を構成するための突起もしくは釘を係止するための切欠きまたは釘を係止するために相当な切欠きを設けたことを特徴とする、釘抜き。
【請求項３】
請求項２記載の前記釘抜き部１の先端が両側面もしくは四方側面で一端部の先端に向かって鋭角になり前記釘抜き部１の先端から反対方向に所定の間隔を設けた位置に鉤構造または鉤構造を構成するための突起を設けた釘抜きにおいて、前記釘抜き部１を下側として反対側の他端側を上側としたとき、前記鉤構造を構成するための突起または鉤構造の突起状の端部もしくは鉤構造を構成するためのかかり状の端部が向いている側を背面として前記背面の裏側にあたる側面を正面とした場合に、左右側面視もしくは四方側面視において釘抜き部１方向で下面の方向である一端の先端に向かって鋭角になっている構造を特徴とする、釘抜き。
【請求項４】
請求項３記載の釘抜きで、前記釘抜き部１の先端部が前記鉤構造を構成する突起がある側面の背面にあたる前記正面の方向に略コの字状の先端部形状をしており、所定の位置まで略コの字状断面を形成し、略コの字状先端部全体が鋭角となっていることを特徴とする、釘抜き。
【請求項５】
請求項２−４記載の釘抜きで、前記釘抜き部１の先端から反対方向の他端部方向に所定の間隔を設けて前期鉤構造がある釘抜きにおいて、前記一端部の先端から鉤構造の付近にかけて前記鉤構造の構成要素であるかかり状の突起の先端もしくは釘を係止できる側面を前記背面としたときに、前記釘抜き部１の先端から鉤構造の付近にかけて背面または背面及び正面の側面が背面方向に膨らむかたちで湾曲していることを特徴とする、釘抜き。
【請求項６】
請求項１記載の前記釘抜き部１の先端が鉤構造となり、前期鉤構造は先端部付近がマイナスドライバーの先端状または所定幅の板状であり、先端に向かうに従い薄くなり先端部を折り返すかたちで湾曲させ、釘抜き本体の長い側の一辺の軸を延長させた線を軸の延長線としたときに、軸の延長線に沿った方向に引っ張る又は移動したときに、前記先端部を折り返すかたちで湾曲させた鉤構造がフロア用ステープル及びフロア用ネイルを係止できる前記釘抜き部１の先端が鉤構造であることを特徴とする、釘抜き。
【請求項７】
一辺側が短く他辺側が一辺側に比し充分に長い略Ｌ字状を呈し、前期略Ｌ字状の短い側の一辺であり梃子の原理を利用して釘を抜くことのできる側である短い側の一辺を前記他端部で釘抜き部２とした釘抜きにおいて、前記釘抜き部２は前記略Ｌ字状体のＬ字の短く下の辺に相当する部分であり、この辺の先端に相当する前記釘抜き部２の先端部が側面視で横型Ｖ字状またはマイナスドライバーの先端部状の形状であり、前期先端部はＬ字の上下関係として上側に湾曲もしくは突起を設けたかたちの鉤構造であり、釘抜き部２の先端部が梃子の原理を利用してフローリング用の釘を抜く際に作用点となり前記フローリング用の釘が前記釘抜き部２から外れ難くした鉤構造を備えた前記釘抜き部２であることを特徴とする、釘抜き。
【請求項８】
前記略Ｌ字状体の一辺側が短く他辺側が一辺側に比し充分に長い釘抜きで、前記一辺側が短い側の先端が向いている方向を正面とし、前記一辺側に比し充分に長い側の一辺の端部を一端としてこの方向を下側としたときに、側面視で前期釘抜き部２の先端部が先端に向かって鋭角でありかつ前記先端部は前記先端に向かって上側に湾曲していることを特徴とする、釘抜き。
【請求項９】
釘抜き本体で略Ｌ字状体の前期他辺側である長い側の辺の他端側で梃子の原理を利用して使用する場合には支点となる曲面部において、曲面部は下地材に接地することになるが、釘を抜くときの初期状態で支点部となる曲面の一部が接地したときに、釘抜き部２の先端部が前期接地する位置より前記一端側に所定の間隔だけ離した位置または前記支点となる曲面部が接地した状態のとき前記釘抜き部２の先端部が設置した位置より上部に所定の間隔を設けた位置にあるようにして、前記釘抜き部２の先端部付近から前記釘抜き初期における接地する支点部となる曲面の位置付近にかけてフローリングの雄実の付近で重なり合わない形状または前記雄実の標準的な形状以上の凹んだかたちをしていることを特徴とする、釘抜き。
【請求項１０】
前記釘抜き部２の先端部が釘を引っ掛けて梃子の原理を利用して釘を引き抜く際に、支点となる支点部の曲面が釘を斜め方向に引き抜くことができるような形状の滑らかな曲面の支点部を設けたことを特徴とする、釘抜き。
【請求項１１】
前記釘抜き部２の先端部が釘を引っ掛けて梃子の原理を利用して釘を引き抜く際の初期状態で、支点となる支点部の曲面が釘を釘が打ち込まれた方向と逆の方向または逆の角度方向に引き抜くことができるような形状となる滑らかな曲面の支点部を設けたことを特徴とする、釘抜き。
【請求項１２】
本体の胴体部に、前記一端部で釘抜き部１から所定の間隔を設けた位置に、通常の梃子の原理を利用して一方の先端が二股でV字状の切欠きがされている扁平な形状が引っかかる形状の鉤状部または鉤構造の突起もしくは切欠きを設けたことにより、前記先端部１に釘を引っ掛けた際にこれを引き抜くために通常の釘抜きと複合的に釘を抜くことができることを特徴とする、釘抜き。
【請求項１３】
前記釘抜き部１の鉤状部となる、鉤構造または鉤構造の突起もしくは釘を係止するための切欠きまたは釘を係止するために相当な切欠きを設けた釘抜きにおいて、前記鉤構造を構成するかたちとなる突起状の鉤に所定の切欠きを設け、先端が尖り棒状の釘を前記切欠きに挟み込み係止出来るようにしてある部分を設けた前期鉤があることを特徴とする、釘抜き。
【請求項１４】
前記釘抜き部２の鉤状部となる、鉤構造または鉤構造の突起もしくは釘を係止するための切欠きまたは釘を係止するために相当な切欠きを設けた釘抜きにおいて、前記鉤構造を構成するかたちとなる突起状の鉤に所定の切欠きを設け、先端が尖り棒状の釘を前記切欠きに挟み込み係止出来るようにしてある部分を設けた前期鉤があることを特徴とする、釘抜き。
【発明の詳細な説明】
【技術分野】
【０００１】
本発明は、建築において床材であるフローリングを張る施工時に使用するフロア用ステープルやフロア用の釘を抜くために使用する釘抜きに関するものである。
【背景技術】
【０００２】
釘とは金属・竹・木などの一端をとがらせ、打ち込んで物と物とを固着させたりそれに物を掛けたりするためのものの総称である。またコの字形の針を打ち込み固定するものをタッカーやステープルと呼ぶが（例えば、非参考文献３、非参考文献４参照。）これらも釘と呼ばれている（例えば、非特許文献１参照。）。フローリングを下地材に固着させるためには棒状で先の尖ったフロア用ネイルやコの字形の針でできたフロア用のステープル（例えば、非特許文献１、非特許文献３、非特許文献４参照。）が使用されている。ステープル類のコの字状の釘は通常専用の釘打ち機により打ち込むことが多いが、フローリングを固着する為のステープルはフローリングの固着専用のもので圧縮空気を利用して専用の釘打ち機を使用し（例えば、非特許文献３、非特許文献４参照。）一瞬にしてステープルをフローリングの雄実の付け根の入り隅状の場所に打ち込まれる。以下、釘の一種であるステープルでフローリングを固着するためにフローリングの雄実の付け根に打ち込むことを目的として使用するステープルを総称として（イ）フロア用ステープルとする。また（イ）のフロア用ステープルは略Ｕ字状の形をしているが、（イ）のフロア用ステープルで先端が尖っている２本の足を以下の表記で（チ）ステープルの足とし、ステープルのサイズを表すときに肩幅の寸法で表す場所を（リ）ステープルの肩（例えば、非特許文献３、ｐ．４、商品記号の読み方、ステープル、（イ）参照。）とする。
【０００３】
従来フローリングを固着するために多く使用されていた釘は、先端が尖っていてスクリュー状に加工され釘の頭が比較的小さいもので、作業手順は雄実の付け根の入り隅状の場所にある程度釘の頭が飛び出ている程度まで金槌で打ち、その後フローリングを傷つけないようポンチまたは釘しめを使用して奥まで打ち込んでいた。この釘はフロア釘もしくはフロアネイルまたはスクリュー釘等と呼ばれている。現在では圧縮空気を利用した釘打ち機による施工が多く、一瞬にして釘を打ち込むことが出来る（例えば、非特許文献３、ｐ．３０写真参照。）。
【０００４】
また、圧縮空気を利用した釘打ち機によるもので前記フロアネイルまたはスクリュー釘に代わる釘として、先端が尖っていて棒状であり通常の釘と比較すると少し細い釘としてブラッドネイル（例えば、非特許文献３、ｐ．１１写真参照。）という種類で、専用の釘打ち機を使用するものである。以下、前記フロアネイル、スクリュー釘、ブラッドネイルなどの先端が尖っている棒状の釘で、フローリングを固着するために使用されるものを総称して（ロ）フロア用ネイルとする。また（ニ）釘と表記した場合は全ての種類の釘の総称とし、先端が尖った棒状の釘の総称として（ホ）通常の釘とし、フローリングの固着に使用される全ての種類の釘の総称を（へ）フローリング用の釘とする。
【０００５】
建築材料であるフローリングを床に固着するために使われる（イ）のフロア用ステープルや（ロ）のフロア用ネイルは一度打ち込むと抜けないように下地材料に固着するものである。フローリング材は仕上げ材料なので外観がきれいに仕上げてあるものであり（イ）のフロア用ステープルや（ロ）のフロア用ネイルは見えないように打ち付けられる。作業内容は、雄実の付け根に４５度程度の角度（例えば、非特許文献６参照。）で（イ）のフロア用ステープルや（ロ）のフロア用ネイルの頭が隠れるように打ち込まれ張り合わせたときに釘などの跡は残らないように（例えば、非特許文献２参照。）施工される。
【０００６】
しかし、（イ）のフロア用ステープルや（ロ）のフロア用ネイルはフローリングの雄実付け根に打ち込むため釘などの頭は入り隅状の角の部分に打ち込まれている、そのため（イ）のフロア用ステープルや（ロ）のフロア用ネイル端部を容易にはつかみ出すことのできない形状の場所に打ち込まれることになる。
【０００７】
圧縮空気などを利用する釘打機により（イ）のフロア用ステープルや（ロ）のフロア用ネイルを打ち込む場合には、それを打ち込む下地材の場所に偶然に釘やビス又は材木の節などがあることがある。その場合（イ）のフロア用ステープルや（ロ）のフロア用ネイルの打ち損ねや跳ね返ることがあり（イ）のフロア用ステープルや（ロ）のフロア用ネイルを抜かなければならない場合が生じる。ところがフローリングの形状上の入り隅状の角部に打ち込まれた釘は通常の釘抜き(バール)では容易には抜けず、その部分のフローリング材料を駄目にすることになることもある。しかし、フローリング材に打ち込まれた（イ）のフロア用ステープルや（ロ）のフロア用ネイルをフローリングの仕上がり面を傷めずに抜くための特定の道具はない。その為、その釘を抜く専用の用途ではないプライヤーを使う等何らかの手段で抜くか、もしくはさらに打ち込むなどの手段を講じなければならない。これまで前記特定の道具がなかったのはフローリングの雄実の形状が凸凹したことによる難しさや、通常釘を抜くときはどうしても多少の傷がついてしまうのは仕方がないという諦めが原因だと思われる。
【０００８】
（ハ）従来の釘抜きの形状は、扁平な先端に釘の頭が引っかかるように切込みがあり梃子の原理を利用しやすいように片方の端部が９０度に曲がっているものが多く（例えば、特許文献１、非特許文献５参照。）、切り込みに釘を引っ掛けて梃子の原理を利用して釘を抜く道具である。また梃子の原理を利用して釘を抜くための支点となる部分は下地材と接するのだが、この支点は釘を抜くに従い移動する。この支点となる曲面の形状は（ハ）の従来の釘抜きの先端から始めは直線的で徐々に曲面が強くなっていくもので、棒状だったものの途中を曲げた形に近いものである。
【０００９】
（ハ）の従来の釘抜きは平面に打たれた（ホ）の通常の釘を抜くのに適した形状となっている。また、釘の大きさや長さまた釘の形状により適宜な大きさの（ハ）の従来の釘抜きを使い分けなければならない。その為に平面でない場所に打たれた（ニ）の釘を抜く場合や（ニ）の釘の形状やサイズと掛け離れた（ハ）の従来の釘抜きを使用した場合には（ニ）の釘を抜くのに大変困難が生じる。例えば、平面でないコーナー付近に打たれた（ニ）の釘を抜こうとした場合には、（ニ）の釘の頭を引っ掛けることが難しいことや、梃子の原理を利用できないという場合がある。
【００１０】
（ハ）の従来の釘抜きはシンプルな形状なこと、（ニ）の釘の種類や各サイズは多種であることから、容易に（ニ）の釘を抜く為には、平面に打たれた（ニ）の釘であっても（ニ）の釘の形状や各サイズに合わせて（ハ）の従来の釘抜きを何種類か使い分けることになる。または、各々の（ニ）の釘にはその釘に適した各々の（ハ）の従来の釘抜きを選択し使用するという必然があり、１つの（ハ）の従来の釘抜きで全ての（ニ）の釘を抜くことは相当に難しい。
【００１１】
また、平面に打ち込まれた（ニ）の釘は殆どの場合頭が飛び出していることはなく、材料と平らになっているか、もしくは少しめり込んだ状態になっている。そのため（ハ）の従来の釘抜きで（ニ）の釘を抜く場合（ハ）の従来の釘抜きの釘をひっかけられる場所が（ニ）の釘の頭よりさらに下に位置づけなければ（ニ）の釘の頭を引っ掛けることが出来ないので、（ニ）の釘の打ち込んである材料に対して（ハ）の従来の釘抜きの釘を引っ掛けられる場所をめり込ませなければならないことになる。この作業では（ハ）の従来の釘抜きの端部を押し込むか、金槌で（ハ）の従来の釘抜きを叩いて道具を複合的使用して差し込まなければならない。この作業の結果、釘が打ち込まれていた材料には、（ニ）の釘が抜けた跡だけでなく（ハ）の従来の釘抜きによって引っかき傷のように抉れてしまうか、（ニ）の釘の頭と比較してかなり大きな穴のように抉り取らなければならないこともある。
【００１２】
前記の釘抜き作業をする際は、（ハ）の従来の釘抜きの端部を押し込むか、金槌で（ハ）の従来の釘抜きを叩いて複数の道具により複合的に道具を使用することによって差し込まなければならない。そのため（ハ）の従来の釘抜きの端部は側面視で鋭角になっていて先端から胴体もしくは９０度に曲がっている付近まで滑らかな曲線もしくは直線的な形状である必要があり、先端部付近では極端に湾曲していない。
【００１３】
通常（ニ）の釘は材料を平面としたとき平面に対して直角方向に打たれている。この（ニ）の釘を抜くには直角方向で逆向きに引っ張るのが一番抜きやすいことになる。そして（ハ）の従来の釘抜きで平面に打たれた（ニ）の釘を抜く場合に、抜き始めの初期ではほぼ直角方向の逆向きで抜けて行き、（ニ）の釘は徐々に（ハ）の従来の釘抜き寄りに曲がって引っ張られていく。これは、（ハ）の従来の釘抜きで梃子の原理を利用して（ニ）の釘を抜いていったときの支点となる曲面の形状によるものだが、（ニ）の釘を抜く際最後まで直角方向の逆向きで抜く必要はなく、初期の段階で効率よくほぼ直角方向の逆向きの力を（ニ）の釘の頭付近である作用点に発生させれば済むものであり、（ハ）の従来の釘抜きの用途は釘抜きの初期段階でほぼ直角方向に（ニ）の釘を抜こうとするものである。
【００１４】
（ハ）の従来の釘抜きは太い釘を抜くこともあれば解体でハンマーのように使用することやこじあけたりするなど、釘を抜くだけでない不特定な用途で使用されることも多い。また、釘抜き部の釘と接している位置は、梃子の原理で釘を抜くときに作用点となるために大きな曲げの力が発生するので曲げの力によって壊れないように金属を使用し強固にしなければならず肉厚な形状となっている。その為フローリングの雄実の付け根という狭く奥の位置に打たれた釘を抜くには不向きである。
【００１５】
また、（ハ）の従来の釘抜きの使用用途である棒状の釘を抜くための形状では、棒状の釘でないコの字状のステープルを抜く場合、ステープルの頭の形状と（ハ）の従来の釘抜き端部で切欠きのある部分とが形状上で相性は悪く、従来の釘抜きの切欠きの部分にステープルを引っ掛けて抜く場合には、コの字状ステープルの形状は変形し切れて２本の針が刺さったままか、もしくは片方は抜けずに残ることがありうる。
【００１６】
ステープルを抜くためには、（ト）板状の薄いものでステープルの幅より狭いものを差込んで持ち上げることができるが（例えば、特許文献３参照。）、平らな面にあるステープルを抜く場合は容易であるが同じ要領でフローリングの雄実に打ち込まれた（イ）のフロア用ステープルを抜く場合は相当に難しい。
【００１７】
通常のステープルを抜くための道具では、例えば紙を留めるときに使うホッチキスの本体下側にステープルを抜けるように薄い板状で全体として直線的なステープルに差し込めるようになっているステープルを抜くための場所を備えている。ステープルも（ホ）の通常の釘同様に平らな材料を平面としたときに、平面に対して直角方向に打ち込まれている。（ニ）の釘を抜くには大きな力が必要となるため梃子の原理を利用するのが効果的であり、この原理を利用しなければ殆どの（ニ）の釘は抜くことが出来ない。ステープルにおいても（ホ）の通常の釘を抜くのと同様に大きな力を必要とする。また、（ハ）の従来の釘抜きの先端部付近が直線的なのと同様にステープルを抜くための道具も先端部付近はで極端に曲がっているものは無く直線的な構造となっている。そして、（ハ）の従来の釘抜きも（ト）の板状の薄いステープルを抜く道具も、各々の釘抜きと（ニ）の釘が交差して（ニ）の釘が載っかった状態で（ニ）の釘を持ち上げるかたちで引き抜く効果を得ているものであり、直接引っ張るというかたちではない。
【００１８】
【特許文献１】特開平０６−０１５５３２号公報（第１図）
【特許文献２】特開０６−０４７６８４号公報（第１図）
【特許文献３】特開２００３−２０５４７４号公報（第１図）
【非特許文献１】「図説  建築用語辞典  新訂版」実教出版株式会社、２００１年６月１１日、ｐ．１０４
【非特許文献２】「図説  建築用語辞典  新訂版」実教出版株式会社、２００１年６月１１日、ｐ．１５５
【非特許文献３】「マックス建築ツール総合カタログ」マックス株式会社、２００５年８月、ｐ．４、１０−１１、３０
【非特許文献４】「日立電動工具総合カタログ」日立工機株式会社、２００５年１０月、ｐ．１１３−１１５
【非特許文献５】「フリー百科事典『ウィキペディア（Ｗｉｋｉｐｅｄｉａ）』」Ｗｉｋｉｐｅｄｉａ  最終更新 ２00５年１２月２7日
【非特許文献６】「住まいづくりの総合カタログ  床・壁・天井・ダイライト」大建工業株式会社、２００５年８月、ｐ．７６９、（実部釘止め基準図）
【非特許文献７】「床・階段・壁  カタログ」永大産業株式会社、２００５年７月、ｐ．８５（写真）、９２（ハイホットユニークの断面構造図）
【００１９】
この手段として、フローリング固定用（イ）のフロア用ステープルや（ロ）のフロア用ネイルを抜くための道具として、図１の釘抜き部１Ａように突起の欠き部分に引っ掛けて引っ張る方法と、通常の釘を抜くときに使う釘抜きのように「梃子の原理」で（イ）のフロア用ステープルや（ロ）のフロア用ネイルを抜けるような形状を可能とすれば通常の釘を通常の釘抜きで釘を抜くようにフローリングの雄実の付け根に打ち込まれた（イ）のフロア用ステープル、（ロ）のフロア用ネイルを抜くことが可能となる。また、梃子の原理を利用して釘を抜く釘抜きの先端部を図１の釘抜き部２Ａのようにすることで、（イ）のフロア用ステープルと（ロ）のフロア用ネイルを引っ掛けられる形状となり、フローリングの雄実の形状に無理なく差し込める。また、引き抜く時の初期状態でフローリングを傷つけることのないような角度で引き抜けるような支点面をつくることで（イ）のフロア用ステープル、（ロ）のフロア用ネイルを容易に抜くことが可能となる。
【発明の開示】
【発明が解決しようとする課題】
【００２０】
解決しようとする問題点は、床材であるフローリングを固定するため雄実の付け根に打ち込む（イ）のフロア用ステープルや（ロ）のフロア用ネイルを（ハ）の従来の釘抜きで抜く場合にはフローリングの仕上がり面である表面を傷めてしまう。また、（ト）の板状の薄いステープルを抜く道具では抜くことが出来ない。その他の道具でもフローリングに打ち込まれた（へ）フローリング用の釘をフローリングの表面を傷めずに釘を抜く事の出来る釘抜きが無いことである。
【課題を解決するための手段】
【００２１】
上記目的を達成するために、請求項１の発明は、棒状体または略Ｌ字状体の端部の一方側で、前記略Ｌ字状体の場合は一辺側が短く他辺側が一辺側に比し充分に長いＬ字状を呈したもので前期略Ｌ字状の長い側の一辺の端部でＬ字状でない側の端部を一端部として反対側の端部を他端部としたときに、前記一端部から他端部の方向に向かって棒状体または略Ｌ字状体の本体ごと引っ張ったときもしくは移動したときに前記一端部を釘に引っ掛けて釘を引き抜くものであって前記一端部が釘抜き部１となる釘抜きにおいて、前記釘抜き部１は端部が前記一端部から他端部の方向に釘を引っ張りぬくことのできる鉤構造となっていていることを特徴とする、釘抜きである。
【００２２】
上記請求項１の発明の場合、（ハ）の従来の釘抜きでは殆どの場合梃子の原理を利用して作用点部となる位置に（ニ）の釘を載せるかたちで持ち上げることにより（ニ）の釘を抜く効果を得ているのだが、当該発明の場合、釘抜き部１自体で梃子の原理を利用することではなく釘抜き部１に大きな曲げの力は発生しない。そのため、釘抜き部１全体を肉薄なものとすることが出来る。そのことでフローリングの雄実の付け根に打ち込まれた（イ）のフロア用ステープルや（ロ）のフロア用ネイルの位置まで、フローリングをそれほど傷めずに雄実の一部を傷める程度で釘抜き部１の先端を差し込むことが出来る。
【００２３】
（ハ）の従来の釘抜きの多くは梃子の原理を利用して釘を抜くもので、（ハ）の従来の釘抜きと（ニ）の釘の接する場所が作用点となり（ニ）の釘を持ち上げることによる効果で釘を抜くのである。それに対して本発明の釘抜き部１は、（へ）のフローリング用の釘を引っ掛けるための鉤構造が先端部に設けてあることを特徴としているため、（へ）のフローリング用の釘を梃子で持ち上げるためのものではなく、（へ）のフローリング用の釘を引っ張ったときに係止または（へ）の釘を引っ掛け、釘抜き部１から（へ）のフローリング用の釘が外れづらいように出来る。
【００２４】
また、釘抜き部１は肉薄であるため狭く入り隅状の場所にある釘の頭に到達しやすく、到達したときに先端部が鉤構造となっているので、（イ）のフロア用ステープルのコの字状の形状に引っ掛けることが出来る。釘抜き部１自体が梃子の原理を利用したときの作用点部ではないので支点部の形状に支配的に影響されることはなく、任意な方向に（イ）のフロア用ステープルを引き出すことが出来る。
【００２５】
このように、釘抜き部１は釘を引っ掛けて引っ張り出す役目を果たすのだか、釘抜きは金属で作られる為、引張りの力に強い金属のメリットを生かすことで肉薄に出来この効果でフローリングの構造上狭い位置にある（イ）のフロア用ステープルまで到達させられ、しかもフローリングの雄実の一部を傷める程度を最小限に抑えることが出来る。また、打たれてある（イ）のフロア用ステープルの角度を考慮して任意の角度で引き抜ける。
【００２６】
請求項２の発明は、前記釘抜きの構造を釘抜き本体における位置関係として前記棒状体または略Ｌ字状体の長い方向を縦方向に立てて両端部を便宜上上下方向に位置づけると、前記一端部は釘抜き部１であり下側とし、前期他端部側を上側と位置付けたときに、前記釘抜き部１の両側面もしくは四方側面で下側方向の一端部側の先端に向かって釘抜き部１の先端を鋭角にして、前記先端から上方向に所定の間隔設けた位置に鉤構造または鉤構造を構成するための突起もしくは釘を係止するための切欠きまたは釘を係止するために相当な切欠きを設けたことを特徴とする、釘抜きである。
【００２７】
上記請求項２の発明の場合、請求項１の発明の場合と同様な作用・効果を奏し得る他、釘抜き部１の先端部を鋭角にし、木材などを加工するときに使う工具の鑿（のみ）の端部またはマイナスドライバーの端部のような形状とすることで、入り隅状の場所でめり込んだ状態の（へ）のフローリング用の釘の場所に釘抜き部１の先端を差し込める。
【００２８】
また、通常フローリングの雄実は端から端まで途切れずつながっているものだが、雄実自体は仕上がったときには雌実と接合し見えなくなるものである。そのため雄実の途中が部分的に途切れたとしても仕上がり面には影響がないことになる。床としての強度的にも根太や下地合板など下地材のある範囲内であれば問題にはならない。実際の商品として床暖房対応のフローリングには初めから雄実が部分的にないものも販売され普及している（例えば、非特許文献７参照。）。以上のことから雄実の部分的なカットは切り口をきれいに切り取れば施工上および使用上問題はない。しかし切り口が悪い場合には、仕上がったときに捲れ上がりや割れフローリング間のつなぎ合わせのズレが発生することが考えられる。このことから、雄実へ打ち込まれた（へ）のフローリング用の釘の付近に長手方向の雄実を途中で切るかたちで前もって２ヶ所の切込みを入れておけば鑿（のみ）のようなものでもきれいに切り落とすことが出来、上記請求項２の発明で鑿（のみ）の効果を発揮できる。
【００２９】
このとき、釘抜き部１の先端を突き刺す位置は、（へ）のフローリング用の釘が打ち込まれた雄実の付け根から雄実の間で、鉤状部１Ａａがある側の側面が（へ）のフローリング用の釘側にあるように使用することにより、フローリングの仕上がり面を傷つけず（へ）のフローリング用の釘を容易に鉤状部１Ａａに引っ掛けて引っ張ることができる。
【００３０】
請求項３の発明は、請求項２記載の前記釘抜き部１の先端が両側面もしくは四方側面で一端部の先端に向かって鋭角になり前記釘抜き部１の先端から反対方向に所定の間隔を設けた位置に鉤構造または鉤構造を構成するための突起を設けた釘抜きにおいて、前記釘抜き部１を下側として反対側の他端側を上側としたとき、前記鉤構造を構成するための突起または鉤構造の突起状の端部もしくは鉤構造を構成するためのかかり状の端部が向いている側を背面として前記背面の裏側にあたる側面を正面とした場合に、左右側面視もしくは四方側面視において釘抜き部１方向で下面の方向である一端の先端に向かって鋭角になっている構造を特徴とする、釘抜きである。
【００３１】
上記請求項３の発明の場合、請求項２の発明の場合と同様な作用・効果を奏し得る他、釘抜き部１の先端を鋭角してその先端から所定の間隔設けた位置に鉤となる構造である鋭角もしくは直角程度な突起を設けることで、釘抜き部１の先端がフローリングの雄実の付け根に突き刺すことを容易にすることを可能とし、釘抜き部１の鉤状部１Ａａを容易に（へ）のフローリング用の釘の位置まで到達出来、その釘を引っ掛けることが出来る。
【００３２】
請求項４の発明は、請求項３記載の釘抜きで、前記釘抜き部１の先端部が前記鉤構造を構成する突起がある側面の背面にあたる前記正面の方向に略コの字状の先端部形状をしており、所定の位置まで略コの字状断面を形成し、略コの字状先端部全体が鋭角となっていることを特徴とする、釘抜きである。
【００３３】
上記請求項４の発明の場合、請求項３の発明の場合と同様な作用・効果を奏し得る他、釘抜き部の先端部が略コの字状で先端全体が鋭角となっているので、先端部の横断面がコの字状となっている蚤と同様な使用ができる。そのことで雄実へ打ち込まれた（へ）のフローリング用の釘の位置の雄実に前もって２ヶ所の切込みを入れておかなくても雄実の一部を切り落とすことが出来る。
【００３４】
請求項５の発明は、請求項２−４記載の釘抜きで、前記釘抜き部１の先端から反対方向の他端部方向に所定の間隔を設けて前期鉤構造がある釘抜きにおいて、前記一端部の先端から鉤構造の付近にかけて前記鉤構造の構成要素であるかかり状の突起の先端もしくは釘を係止できる側面を前記背面としたときに、前記釘抜き部１の先端から鉤構造の付近にかけて背面または背面及び正面の側面が背面方向に膨らむかたちで湾曲していることを特徴とする、釘抜きである。
【００３５】
上記請求項５の発明の場合、請求項４の発明の場合と同様な作用・効果を奏し得る他、釘抜き部１の先端から釘抜き部１の鉤状部１Ａａの付近にかけて、鉤状部１Ａａの鉤としての効果を得るための突起もしくは切欠きがある側面の方向に膨らむかたちで滑らかに湾曲させることにより、釘抜き部１の先端をフローリングの雄実部で（へ）のフローリング用の釘が打ち込まれた位置に、（へ）のフローリング用の釘が打ち込まれた角度と同程度で、鉤状部１Ａａが釘側を向くように突き刺していったとき、前記滑らかに湾曲させた効果で、鉤状部１Ａａの側面とは背面側の方向に釘抜き部１の先端が進もうとする。それにより、フローリングを必要以上に切り欠かなくて済む。また、先端部が曲がって進もうとすることで、鉤状部１Ａａの突起もしくは切欠きのある位置は先端が曲がって進む方向とは反対方向の（へ）のフローリング用の釘がある方向に押されるようなかたちになる。そのことで、鉤状部１Ａａの突起や切欠きを（へ）のフローリング用の釘に引っ掛け易くなる効果を得られる。
【００３６】
請求項６の発明は、請求項１記載の前記釘抜き部１の先端が鉤構造となり、前期鉤構造は先端部付近がマイナスドライバーの先端状または所定幅の板状であり、先端に向かうに従い薄くなり先端部を折り返すかたちで湾曲させ、釘抜き本体の長い側の一辺の軸を延長させた線を軸の延長線としたときに、軸の延長線に沿った方向に引っ張る又は移動したときに、前記先端部を折り返すかたちで湾曲させた鉤構造がフロア用ステープル及びフロア用ネイルを係止できる前記釘抜き部１の先端が鉤構造であることを特徴とする、釘抜きである。
【００３７】
上記請求項６の発明の場合、請求項１の発明の場合と同様な作用・効果を奏し得る他、釘抜き部１の先端を板状でフック状の形状とした鉤構造とすることにより、（イ）のフロア用ステープルの形状に引っ掛け易くしたものである。また板状のものを湾曲させた形の鉤構造は、従来のステープルを抜くための梃子の原理を利用するステープル抜きようの道具のように作用点で持ち上げるかたちで使用した場合でも（イ）のフロア用ステープルはずれて外れづらく、また引っ張る方向でも外れづらくすることのできるものである。
【００３８】
請求項７の発明は、一辺側が短く他辺側が一辺側に比し充分に長い略Ｌ字状を呈し、前期略Ｌ字状の短い側の一辺であり梃子の原理を利用して釘を抜くことのできる側である短い側の一辺を前記他端部で釘抜き部２とした釘抜きにおいて、前記釘抜き部２は前記略Ｌ字状体のＬ字の短く下の辺に相当する部分であり、この辺の先端に相当する前記釘抜き部２の先端部が側面視で横型Ｖ字状またはマイナスドライバーの先端部状の形状であり、前期先端部はＬ字の上下関係として上側に湾曲もしくは突起を設けたかたちの鉤構造であり、釘抜き部２の先端部が梃子の原理を利用してフローリング用の釘を抜く際に作用点となり前記フローリング用の釘が前記釘抜き部２から外れ難くした鉤構造を備えた前記釘抜き部２であることを特徴とする、釘抜きである。
【００３９】
上記請求項７の発明の場合、釘抜き部２は（ハ）の従来の釘抜きにおける９０度程度に曲がっていて、釘抜き本体全体視したときに一辺側が他辺側に比して短い側の一辺の側で、梃子の原理を利用して釘を抜く場合の作用点の位置に相当するものである。この位置を釘抜き部２としたときに、釘抜き部２は（ロ）のフロア用ネイルの頭または（リ）のステープルの肩の下に差込、梃子の原理で持ち上げるかたちで引き抜くが、このとき（へ）のフローリング用の釘の一部位が釘抜き部２に載っている状態で摩擦力によりあまりずれない状態である。しかし単に載っている状態では（へ）のフローリング用の釘の一部位は釘抜き部２から外れてしまうことも考えられる。そこで釘抜き部２の先端部付近を湾曲させるもしくは突起状の出っ張りを設けることで鉤構造となり鉤の部位で（へ）のフローリング用の釘の一部位は止まり外れ難くすることが出来る。
【００４０】
請求項８の発明は、前記略Ｌ字状体の一辺側が短く他辺側が一辺側に比し充分に長い釘抜きで、前記一辺側が短い側の先端が向いている方向を正面とし、前記一辺側に比し充分に長い側の一辺の端部を一端としてこの方向を下側としたときに、側面視で前期釘抜き部２の先端部が先端に向かって鋭角でありかつ前記先端部は前記先端に向かって上側に湾曲していることを特徴とする、釘抜きである。
【００４１】
上記請求項８の発明の場合、請求項７の発明の場合と同様な作用・効果を奏し得る他、釘抜き部２の先端部が鋭角であることにより、釘抜き部２の先端部を（リ）のステープルの肩の下へ差し込むことを容易にすることが出来る。
【００４２】
請求項９の発明は、釘抜き本体で略Ｌ字状体の前期他辺側である長い側の辺の他端側で梃子の原理を利用して使用する場合には支点となる曲面部において、曲面部は下地材に接地することになるが、釘を抜くときの初期状態で支点部となる曲面の一部が接地したときに、釘抜き部２の先端部が前期接地する位置より前記一端側に所定の間隔だけ離した位置または前記支点となる曲面部が接地した状態のとき前記釘抜き部２の先端部が設置した位置より上部に所定の間隔を設けた位置にあるようにして、前記釘抜き部２の先端部付近から前記釘抜き初期における接地する支点部となる曲面の位置付近にかけてフローリングの雄実の付近で重なり合わない形状または前記雄実の標準的な形状以上の凹んだかたちをしていることを特徴とする、釘抜きである。
【００４３】
通常ではフローリングに（へ）のフローリング用の釘を前期雄実の付け根に打ち込んだ際に（へ）のフローリング用の釘の頭または（リ）のステープルの肩はフローリングの下地材より上に位置している。また、その位置から下地材までの間には前記雄実があるため、前記支点部が接している接地位置までは直線ではなく、間に前記雄実が突起状に出っ張ったかたちとなる。そのため、（ハ）の従来の釘抜きのほぼ直線的で外側に広がる形の曲面では（へ）のフローリング用の釘を抜く場合の初期段階で前期曲面が雄実と重なるため雄実を壊すことになる。上記請求項９の発明の場合、（へ）のフローリング用の釘を抜く初期段階では支点となる曲面が下地材と接触した状態で雄実をよけるかたちで釘抜き部２の先端部の鉤が（へ）のフローリング用の釘まで到達できる形状となっているので雄実を壊さずに（へ）のフローリング用の釘を抜くことが出来る。
【００４４】
請求項１０の発明は、前記釘抜き部２の先端部が釘を引っ掛けて梃子の原理を利用して釘を引き抜く際に、支点となる支点部の曲面が釘を斜め方向に引き抜くことができるような形状の滑らかな曲面の支点部を設けたことを特徴とする、釘抜きである。
【００４５】
上記請求項１０の発明の場合、（ハ）の従来の釘抜きでは（ホ）の通常の釘が打ち込まれている材料に対して釘抜きの初期状態で直角方向に抜くものだが、フローリングに打ち込まれた（へ）のフローリング用の釘は４５度程度の角度で打ち込まれているため直角方向に抜こうとした場合には、フローリングの仕上がり面を壊してしまうことになる。そこで（ハ）の従来の釘抜きの梃子の原理を利用して抜く際の支点となる曲面よりも滑らかな曲面として（へ）のフローリング用の釘を抜く際の初期における角度を４５度に近づけることが出来、フローリングの仕上がり面を壊さずに抜くことが出来る。
【００４６】
請求項１１の発明は、前記釘抜き部２の先端部が釘を引っ掛けて梃子の原理を利用して釘を引き抜く際の初期状態で、支点となる支点部の曲面が釘を釘が打ち込まれた方向と逆の方向または逆の角度方向に引き抜くことができるような形状となる滑らかな曲面の支点部を設けたことを特徴とする、釘抜きである。
【００４７】
上記請求項１１の発明の場合、上記請求項１０の発明の場合と同様な作用・効果を奏し得る。
【００４８】
請求項１２の発明は、本体の胴体部に、前記一端部で釘抜き部１から所定の間隔を設けた位置に、通常の梃子の原理を利用して一方の先端が二股でV字状の切欠きがされている扁平な形状が引っかかる形状の鉤状部または鉤構造の突起もしくは切欠きを設けたことにより、前記先端部１に釘を引っ掛けた際にこれを引き抜くために通常の釘抜きと複合的に釘を抜くことができることを特徴とする、釘抜きである。
【００４９】
上記請求項１２の発明の場合、当該釘抜き本体の胴体部の所定位置に（ハ）の従来の釘抜きでＶ字状の切欠きの形状が引っかかるように切欠きや突起を設けることで（ハ）の従来の釘抜きで当該釘抜き自体を引っ掛けて釘であるかのように引き抜く動作をすることができるものであり、梃子の原理を使用して（ハ）の従来の釘抜きの作用点にある当該釘抜きを引っ張る。このとき当該釘抜きの釘抜き部１に引っかかっている（へ）のフローリング用の釘を間接的に抜くかたちを実現しようとするもので、（ハ）の従来の釘抜きと２つの道具を複合的に使用できるようにしたものであるので、前記釘抜き部１を（へ）のフローリング用の釘を引っ掛けたとき引っ張る方向で抜くことが出来る。
【００５０】
請求項１３の発明は、前記釘抜き部１の鉤状部となる、鉤構造または鉤構造の突起もしくは釘を係止するための切欠きまたは釘を係止するために相当な切欠きを設けた釘抜きにおいて、前記鉤構造を構成するかたちとなる突起状の鉤に所定の切欠きを設け、先端が尖り棒状の釘を前記切欠きに挟み込み係止出来るようにしてある部分を設けた前期鉤があることを特徴とする、釘抜きである。
【００５１】
上記請求項１３の発明の場合、釘抜き部１の鉤状部に略Ｖ字状等の所定の切欠きを設けることで（イ）のフロア用ステープルを容易に引っ掛けられる形状に加え、（ホ）の通常の釘の棒状のものが前記略Ｖ字状等の所定の切欠きの位置に挟み込まれるようなかたちになり（ホ）の通常の釘の頭が引っかかることで（ハ）の従来の釘抜きで釘を抜く場合の釘を（ハ）の従来の釘抜きの先端部の切欠きに（ホ）の通常の釘の頭を引っ掛ける効果と同様の作用をもたらすことが出来る。
【００５２】
請求項１４の発明は、前記釘抜き部２の鉤状部となる、鉤構造または鉤構造の突起もしくは釘を係止するための切欠きまたは釘を係止するために相当な切欠きを設けた釘抜きにおいて、前記鉤構造を構成するかたちとなる突起状の鉤に所定の切欠きを設け、先端が尖り棒状の釘を前記切欠きに挟み込み係止出来るようにしてある部分を設けた前期鉤があることを特徴とする、釘抜きである。
【００５３】
上記請求項１４の発明の場合、釘抜き部２の鉤状部に略Ｖ字状等の所定の切欠きを設けることで（ホ）の通常の釘の棒状のものが前記略Ｖ字状等の所定の切欠きの位置に挟み込まれるようなかたちになり（ホ）の通常の釘の頭が引っかかることで（ハ）の従来の釘抜きで釘を抜く場合の釘を（ハ）の従来の釘抜きの釘の先端部の切欠きに（ホ）の通常の釘の頭を引っ掛ける効果と同様の作用をもたらすことが出来る。また、フローリングの雄実の付け根に打ち込まれた（イ）のフロア用ステープルの（リ）のステープルの肩付近が完全に打ち込まれていない状態で前記（リ）のステープルの肩付近が雄実の付け根から浮いている状態では、容易に前記（リ）のステープルの肩付近に釘抜き部２の鉤状部となる部分を引っ掛けて持ち上げられるだけではなく、（ロ）のフロア用ネイルの代表的な形となる形状の釘でも同様の作用をもたらすことが出来る。
【発明の効果】
【００５４】
本発明の釘抜きは、フローリングの雄実の付け根に打ち込まれた釘を抜く場合において、前記雄実の形状を考慮した形状とすること及び前記釘が下地材に対して４５度程度の角度で打ち込まれていることを踏まえてフローリング材の表面の仕上がり面を傷つけずに抜くことができるという利点がある。
【発明を実施するための最良の形態】
【００５５】
以下、本発明の実施形態について図面を参照して説明する。
【実施例１】
【００５６】
図１で釘抜き部１Ａとした部分が本体４に対しての位置関係において、同様な位置関係であり類似の機能を果たす部分は抜き部１とするが、図１、図２、図３、で先端部の形状が異なるため図１では１Ａとしたのに対し図２では１Ｂとし図３では１Ｃとしたのは便宜上区別するためである。
【００５７】
本発明に係るフローリング用のフロア用ステープル、フロア用ネイルの釘抜きにおける釘抜き部１Ａは、図１に示すように、棒状体の釘抜きの一端部付近における形状を示すもので、一端部の先端部が鋭角になっている釘抜き部１Ａの先端部１Ａｃから図１において後ろ側に相当する側面（以後、後ろ側の側面とする）の上側に向かって鋭角になっている釘抜き部１Ａの先端部１Ａｃから釘抜き部１Ａの後ろ側の側面部１Ａｂのように膨らむ形で厚みを増してゆき、所定の位置まで滑らかな曲面となり釘抜き部の鉤状部１Ａａで凹凸をつくる形になり、釣り針の返し状のような形状となった鉤構造を設けた形となる。
【００５８】
図４は図１の形状と同様のものであり斜め方向（図１における正面側と左側面側の間）からのものである。
【００５９】
図６は図１の形状と同様のものであり正面方向（図１における正面側）からのものである。
【００６０】
また、正面側の側面１Ａｄは釘抜き部１Ａの先端部１Ａｃから上側ほうこうに向かって所定の位置まで滑らかに凹んだ形またはほぼ真っ直ぐであり釘抜き部１Ａは厚みを増して行く。そのことで通常使用で釘を抜く際に折れたり曲がったりしない様に極端に細い位置をなくすような形状となっている。
【００６１】
釘抜き部１Ａ付近全体では、釘抜きの本体１である４から相対的に視点で直線的であり先端部１Ａｃから所定の間隔設けた上側に釘の頭や（リ）のステープルの肩が引っかかるように突起状の部分１Ａａが出っ張っているような形状となっている構成である。
【００６２】
釘抜き部１Ａで釘を引っ掛けるのは釘抜き部１Ａの鉤状部１Ａａであり釘抜き部１Ａの先端部１Ａｃはフローリングに突き刺さりやすいように鋭角にした構造である。
【００６３】
釘抜き部１Ａを正面から見た場合、図６のように横に厚みを持たせてあり、このことで（イ）のフロア用ステープルの（リ）のステープルの肩付近に入りやすく、また接地量を増やすことが出来るものである。
【００６４】
釘抜き部１Ａｃ付近は、マイナスドライバーの先端を少し湾曲させたような形状となっており複雑な形状ではないので、加工もそれほど難易ではない。
【００６５】
釘抜き部１Ａの先端部１Ａｃは左右側面視において鋭角であり先端を鑿（のみ）のように使用することが出来るようにしたものであり、そのことで木材に突き刺すことが出来るようにしたものである。
【００６６】
釘抜き部１Ａで釘を抜く場合、図７に示すようにフロア用ステープル等の釘材９とフローリング材の雄実部１９の間に釘抜き部１Ａの先端部１Ａｃを突き刺すもので、釘抜き部１Ａの鉤状部１Ａａがフロア用ステープル等の釘材９の頭や（リ）のステープルの肩に相当する部分まで到達して引っ掛けることができるところまで突き刺す。その後に４５度程度の角度で打ち込まれているフロア用ステープル等の釘材９を  打ち込まれたのと反対方向に引っ張れるような形状である釘抜き部１Ａの鉤状部１Ａａを設けたものである。
【００６７】
床材はフローリングだけではない。例えば合板の上に薄いクッションフロアなどの仕上げ材を張る工法では、ほとんどが実（さね）のない合板を使われる。しかしこの場合フローリングと違い当然合板同士の境目では上下方向でズレが生じやすくなる。この場合、事前につなぎ目の下に下地材を作っておくなどすればズレなどの問題が起こらない。
【００６８】
フローリングの雄実は相手になる雌実に差し込むかたちで床をまるで一体的なようにするだけでなく床がずれることによる段違いが起こらないようにするものである。そのため雄実がなければならないのであるが、部分的に雄実が途切れていたとしてもその部分の下に下地材があり縦方向にずれなければ特に支障は無いとされている。近年では床暖房の普及もあり床暖房の配管や配線がある部分を前もって切り欠いてある商品も販売されている。
【００６９】
前記のように、雄実が部分的に無かったとしてもその部分より広く下地材があればズレなどの問題は起こらない。通常打たれるフロア用ステープル等の釘材９は下地材のある場所に打ち込まれる。その下地材は巾４５ｍｍ程度の根太もしくは床下地が全面合板を張ってある下地となるので、雄実をフロア用ステープル等の釘材９の（リ）のステープルの肩幅程度の切欠きをしたとしても支障はないのである。
【００７０】
また、釘抜き部１Ａの後ろ側側面部１Ａｂから釘抜き部１Ａの鉤状部１Ａａにかけて、後ろ側側面に縦方向に略Ｖ字状の切り込みまたは溝を設けることでフロア用ステープル等の釘材９が（ロ）のフロア用ネイルであった場合にも係止することができる。
【実施例２】
【００７１】
第２の実施例は釘抜き部１で、図２の釘抜き部１Ｂのようにマイナスドライバーの先端部状の形状であるのが曲がった形状とすることで鉤構造を成すものであり、釘抜き部１Ｂの先端部１Ｂｃは鋭角な形状とすることで、（イ）のフロア用ステープルの（リ）のステープルの肩に相当する部分に容易に引っ掛けることができるような工夫が施されている。
【００７２】
また、釘抜き部１Ｂの後ろ側側面部１Ｂｃ付近に、後ろ側側面に縦方向に略Ｖ字状の切り込みもしくは溝を設けることでフロア用ステープル等の釘材９が（ロ）のフロア用ネイルであった場合にも係止することができる。
【実施例３】
【００７３】
第３の実施例は釘抜き部１で、図３及び図５の釘抜き部１Ｃのような形状のものであり、外郭が図１及び図４に示す第１の実施例のものに付加的な要素を備えるための釘抜き部１Ｃの図中下面視略コ状の先端部１Ｃｅの部分を付け加えたかたちのものである。
【００７４】
この釘抜き部１Ｃの図中下面視略コ状の先端部１Ｃｅは、略コ状先端であるために３方向でフローリングの雄実部分をカットすることができる。そのため、あらかじめ鋸等で雄実に切り込みを入れることなく図８のフローリング材の雄実部１９のように容易に３方向でカットできるものである。
【実施例４】
【００７５】
図１で釘抜き部２Ａとした部分が本体４に対しての位置関係において、同様な位置関係であり類似の機能を果たす部分は釘抜き部２とするが、図１、図１１、で先端部の形状が異なるため図１では２Ａとしたのに対して図１１では２Ｂと便宜上区別するものとする。
【００７６】
第４の実施例は（ハ）の従来の釘抜きで梃子の原理を利用するＬ字状体の短い側の一辺側で端部に相当する部分は図１，図１１の釘抜き部２である。（ハ）の従来の釘抜きではＬ字状曲がった付近からの先端部まで直線的な滑らかな曲線であり先端部にＶ字状の切り込みがある形状であるが、第４の実施例では先端部付近から所定の間隔を設けた位置から極端に細くなるような形状としてある。この極端に細くなる部分は、フローリング材で雄実部１９の部分を避けられるような工夫であり、図１１のようにフローリング材７に突き刺してある釘材９の最後部と、本体１８の部分で釘抜き部２Ｂが接している初期位置１４だけが釘抜きの初期状態で接しているのみで済むようにした形状となっている。一方（ハ）の従来の釘抜きを使用するとすれば、（ハ）の従来の釘抜きの先端部の形状では先端部が先端では太く略円錐状の形状のものが左右2対となる構成でありほぼ直線的であるため、フローリングを傷めずに（へ）のフローリング用の釘を抜くことは相当に難しい、または出来ないに近いことは明らかである。このために本発明の釘抜き部２のような形状によるフローリングの釘抜きとなる特殊な形状としたものである。
【００７７】
ここで上記特殊な形状とは、（ハ）の従来の釘抜きと比較してその先端部の形状が略板状体であり、また先端部の位置は支点部となる曲面１２上の初期接地位置より図面上で所定間隔設けた上側に位置していることである。
【００７８】
図１の釘抜き部２Ａは、本体１４の上側で正面側に本体１４の中程での太さ程度で曲がった形状のものが、釘抜き部２Ａの先端部２Ａａの手前で極端に細くなっている。又は、釘抜き部２Ａの先端部２Ａａから支点部１５の曲面にかけての輪郭線が直線的で滑らかな曲線ではなく、釘抜き部２Ａの先端部２Ａａの手前で極端に細くなっている部分が凹んだ形になっている。
【００７９】
また、釘抜き部２Ａの先端部２Ａａのある部分は図１での上側で、最上部付近から下地材からフローリングの雄実の付け根の場所までの高さ（フローリングの下面から雄実の付け根までの厚み）程度下側の位置にあり、釘抜き部２Ａの先端部２Ａａから前記釘抜き部２Ａの先端部２Ａａの手前で極端に細くなっている部分辺りまでは図１で横方向に伸びている。そこから支点部１５にかけて曲面を形成している。この形状によりフローリングの雄実をよける形で雄実の付け根に釘抜き部２Ａの先端部２Ａａが到達できるようにしたものである。
【００８０】
釘抜き部２Ａの形状で、釘抜き部２Ａの先端部２Ａａから釘抜き部２Ａの本体側の曲面（鉤部）２Ａｂにかけて凹んだ形となりここで鉤としての効果を持たせるものであるが、この部分では梃子の原理を利用したときに作用点となる位置なので、実際には釘を持ち上げる様なかたちとなるため、（へ）のフローリング用の釘がずれて外れないように出来るものである。
【００８１】
また、釘抜き部２Ａの先端部２Ａａに図５、図６で釘抜き部２Ａの先端部に設けた切欠き部２Ａｃの略Ｖ字状の切り込みもしくは溝を設けることでフロア用ステープル等の釘材９が（ロ）のフロア用ネイルであった場合にも係止することができる。
【実施例５】
【００８２】
第５の実施例は図１１−図１３の釘抜き部２で（へ）のフローリング用の釘を梃子の原理を利用して抜く場合に、支点となる曲面が（ハ）の従来の釘抜きの支点となる曲面より滑らかな曲面となっていることである。この支点部となる曲面１２は釘抜き作業の初期で（へ）のフローリング用の釘が打ち込まれた角度（45度程度）の反対方向に引き抜くための曲面を形成している。
【００８３】
（ハ）の従来の釘抜きの形状は、扁平な先端に釘の頭が引っかかるように切込みがあり梃子の原理を利用しやすいように片方の端部が９０度に曲がっているもので、90度程度に曲がっている辺りは角を丸めたくらいの曲面になっている。そこが梃子の原理を利用したときの支点となる。ところが、支点部となる曲面１２は（ハ）の従来の釘抜きの支点部となる曲面のより滑らかな曲面とすることでフロア用ステープル等の釘材９を釘材９の軸線の延長線１７に近いラインで引き抜いていくことができる。
【００８４】
計算上で、図１１の支点部となる曲面１２では、フロア用ステープル等の釘材９を引き抜いていったとき支点となる位置は支点部となる曲面１２及び下地材８の上側を逐次移動するが、支点部となる曲面１２上の接地位置１２ｂが設置位置１２ｂが下地材に接する位置１３に設置したとき釘材９と釘抜き部２Ｂが接している初期位置１４は釘材９と釘抜き部２Ｂが接している移動したときの移動位置１５に移動する。
【００８５】
図１３は支点部となる曲面１２の曲面を計算によって導くための一例である。
【００８６】
下記数式１は図１３に記載の各記号に対応した計算機による繰り返し計算を導くための式であり、表１は計算機によりｌｂ１を微小な長さとし、任意の変数Δθを微小な角度で逐次計算した結果を図示したものである。
【００８７】
下記の数式１は釘抜き部２を使用するとき釘が打ち込まれた角度を考慮して、打ち込まれた釘を釘の軸線の方向に抜くことができる形状の支点部５，１２の曲面の形状を計算により求めるための近似的な数式であるが、実際には下地材と支点部で滑りなどのズレも考えられる。しかし少なくともフローリングの仕上がり面に干渉しないように抜くことはできると考えられる。下記はその数式を表したものである。
【００８８】
【数１】
2007290043.tif 000003
【００８９】
【表１】
2007290043.tif 000004
【００９０】
上記の数式において、ｂ１、ｂ２、ｂ３、・・・ｂｎ・・・ｂｍ・・・のｂｎからｂｎ+１の各距離は等間隔の微小長さＬｂ１として下地材の上側表面を水平面とした面を移動するものである。
【００９１】
上記の数式、表において位置ｃｎ（ｘｃｎ、ｙｃｎ）（ｎ=１,２,３・・・・・）は釘材（９）の軸線の延長線とｂｎ（ｎ=１,２,３・・・・・）の各位置を通り傾きがtaｎ（θｂｎ）の直線が交わる位置を表すものである。
【００９２】
また、ｄ１、ｄ２、ｄ３、・・・ｄｎ・・・ｄｍ・・・の各位置ｄｎ+１は、ｄｎを円の中心として半径が微小長さＬｂ１の円周上で角度を微小角度Δθずつ増加させていったときに、位置ｂｎとｃｎの距離Ｌｂｎ＋１と位置ｄｎ＋１とｃ１との距離Ｌｄｎ＋１との差の絶対値（|Ｌｂｎ＋１-Ｌｄｎ＋１|）が最小値となるときの角度θｎ＝（（α）×Δθ）＋θｎ−１）として逐次定めていくものである。
【００９３】
なお、上記の実施形態では、支点部となる曲面１２は４５度に引き抜くことに限定したものではなく、（へ）のフローリング用の釘を抜く際の初期でフローリングの表面の仕上がり面を傷つけなければよく、（ハ）の従来の釘抜きの支点部となる曲面よりも滑らかな曲面にしてもよい。
【実施例６】
【００９４】
第４の実施例は実施例１−３で場合に釘を引き抜く際に人の手だけで引っ張りぬくのは難しいため、（ハ）の従来の釘抜きの梃子の原理を利用して本体１４を引っ張ることが出来るようにした本体１の胴体部に設けた鉤状突起部３がある釘抜きである。
【００９５】
図１−６の本体１の胴体部に設けた鉤状突起部３は、例えれば（ホ）の通常の釘の頭の部分に相当し、そこに（ハ）の従来の釘抜きのＶ字状の切り込みを差し込んで引っ掛けられるようにしたものである。
【００９６】
図１０は実施例５による釘抜き作業の一例を示す。本体１４をまるで釘のように通常の釘抜き１０で引っ張ることで釘抜き部１Ａに係止したフロア用ステープル等の釘材９を抜くことができる。
【産業上の利用可能性】
【００９７】
鉤構造の釘抜き部１,２は釘を抜くためのものであるが、釘ではなく機械部品の一部として利用でき、また打ち込まれた角度とは逆方向に梃子の原理を利用して釘を抜くための曲面も機械的動作をする場所に適用できる。
【図面の簡単な説明】
【００９８】
【図１】釘抜きの形状の実施方法の左側面を示した説明図である。（実施例１,４,６）
【図２】釘抜きの形状の実施方法の左側面を示した説明図である。（実施例２,４,６）
【図３】釘抜きの形状の実施方法の左側面を示した説明図である。（実施例３,４,６）
【図４】釘抜きの形状の実施方法の正面、左側面及び平面を示した説明図である。（実施例１,４,６）
【図５】釘抜きの形状の実施方法の正面、左側面及び平面を示した説明図である。（実施例３,４,６）
【図６】釘抜きの形状の実施方法の正面を示した説明図である。（実施例１,４,６）
【図７】釘抜きの釘抜き部Ａ１の実施方法の左側面を示した説明図である。（実施例１）
【図８】釘抜きの釘抜き部Ｃ１の実施方法の左側面を示した説明図である。（実施例３）
【図９】釘抜きの実施方法の左側面を示した説明図である。（実施例１,４,６）
【図１０】釘抜きの実施方法の左側面を示した説明図である。（実施例１,４,６）
【図１１】釘抜きの実施方法の右側面を示した説明図である。（実施例５）
【図１２】釘抜きの実施方法の右側面を示した説明図である。（実施例５）
【図１３】釘抜きの実施方法の支点部の曲面を定義するための記号と位置関係を示した右側面を示した説明図である。（実施例５）
【符号の説明】
【００９９】
１Ａ      釘抜き部１Ａ
１Ａａ    釘抜き部１Ａの鉤状部
１Ａｂ    釘抜き部１Ａの後ろ側の側面部
１Ａｃ    釘抜き部１Ａの先端部
１Ａｄ    釘抜き部１Ａの正面側の側面部
２Ａ      釘抜き部２Ａ
２Ａａ    釘抜き部２Ａの先端部
２Ａｂ    釘抜き部２Ａの本体側の曲面（鉤部）
１Ｂ      釘抜き部１Ｂ
１Ｂｃ    釘抜き部１Ｂの先端部
１Ｃ      釘抜き部１Ｃ
１Ｃａ    釘抜き部１Ｃの鉤状部
１Ｃｂ    釘抜き部１Ｃの後ろ側の側面部
１Ｃｃ    釘抜き部１Ｃの先端部
１Ｃｄ    釘抜き部１Ｃの正面側の側面部
１Ｃｅ    釘抜き部１Ｃの図中下面視略コ状の先端部
３        本体１の胴体部に設けた鉤状突起部
４        本体１
５        支点部１
７        フローリング材
８        下地材
９        フロア用ステープル等の釘材
１０      通常の釘抜き
１１      通常の釘抜きで切欠きがあり二股になっている側の釘抜き部
１２      支点部となる曲面
１２ａ    支点部となる曲面１２上の初期接地位置
１２ｂ    支点部となる曲面１２上の接地位置
１３      接地位置１２ｂが下地材に接する位置
１４    釘材９と釘抜き部２Ｂが接している初期位置
１５    釘材９と釘抜き部２Ｂが接している移動したときの移動位置
１６    釘材９の軸線の延長線
１７    釘抜き部２Ｂ
１８    本体２
１９      フローリング材の雄実部
ｂ１      初期接地位置１２ａが下地材に接する位置
ｂ２      ｂ１からの所定間隔Ｌｂ１だけ移動した位置及びｄ２が下地材に接する位置
ｂ３      ｂ２からの所定間隔Ｌｂ１だけ移動した位置及びｄ３が下地材に接する位置
ｃ１    釘材９と釘抜き部２Ｂが接している初期位置１４
ｃ２      釘材９の軸線の延長線１６上で位置ｂ２から角度θｂ２の直線と釘材９の軸線の延長線１６が交差する位置
ｃ３      釘材９の軸線の延長線１６上で位置ｂ３から角度θｂ３の直線と釘材９の軸線の延長線１６が交差する位置
ｄ１      支点部となる曲面１２上の及び初期接地位置１２ａ
ｄ２  円の中心をｄ２、半径を所定間隔Ｌｂ１とし、角度をθ２としたときの円周上の位置
ｄ３  円の中心をｄ２、半径を所定間隔Ｌｂ１とし、角度をθ２としたときの円周上の位置
Ｌｂ１    位置ｂ１と位置ｃ１との距離
Ｌｂ２    位置ｂ２と位置ｃ２との距離
Ｌｂ３    位置ｂ３と位置ｃ３との距離
Ｌｄ１    位置ｄ１と位置ｃ１との距離及び距離Ｌｂ１
Ｌｄ２    位置ｄ２と位置ｃ２との距離
Ｌｄ３    位置ｄ３と位置ｃ３との距離
Ｌｂ１    所定の微小長さ（任意の微小長さ）
Δθ    所定の微小角度（任意の微小な変数）
【図１】
2007290043.tif 000005
【図２】
2007290043.tif 000006
【図３】
2007290043.tif 000007
【図４】
2007290043.tif 000008
【図５】
2007290043.tif 000009
【図６】
2007290043.tif 000010
【図７】
2007290043.tif 000011
【図８】
2007290043.tif 000012
【図９】
2007290043.tif 000013
【図１０】
2007290043.tif 000014
【図１１】
2007290043.tif 000015
【図１２】
2007290043.tif 000016
【図１３】
2007290043.tif 000017